(57)【要約】【課題】乾いた状態で保管でき、かつ使用時には良好な保温性を発揮する身体清拭シートを提供すること。【解決手段】身体清拭シート１は、不織布から構成された２つの表面層２，３と、２つの表面層２，３の間に配置され、吸水性ポリマーを含有する吸水性ポリマー層４とを備えた本体部と、本体部から延びる延出部１５，１６とを備えている。【選択図】図２
2018000360.tif 000002
【特許請求の範囲】
【請求項１】
２つの表面層と、２つの表面層の間に配置され、吸水性ポリマーを含有する吸水性ポリマー層とを備えた本体部と、
本体部から延びる延出部と
を備えた身体清拭シート。
【請求項２】
前記本体部が略矩形であり、前記延出部は本体部から延びる２つの延出部であり、前記２つの延出部の配置は、前記本体部の中心を通り前記本体部の長手方向に垂直な軸線に対し線対称であるか、及び／又は前記本体部の中心に対し点対称であるに本体部から延びる２つの延出部である請求項１に記載の身体清拭シート。
【請求項３】
前記本体部が略矩形であり、前記延出部が前記本体部の長手方向における両端からそれぞれ延びる２つの延出部である請求項１又は２に記載の身体清拭シート。
【請求項４】
前記延出部が前記本体部の上に折り重ね可能である請求項１〜３のいずれかに記載の身体清拭シート。
【請求項５】
前記延出部が、前記２つの表面層のうちの一方を前記本体部から延出させた延出部である請求項１〜４のいずれか一項に記載の身体清拭シート。
【請求項６】
前記延出部が前記本体部から分離可能である請求項１〜５のいずれか一項に記載の身体清拭シート。
【請求項７】
本体部の前記吸水性ポリマー層と前記表面層を部分的に一体化することにより、前記吸水性ポリマー層が複数の小区画に仕切られている請求項１〜６のいずれか一項に記載の身体清拭シート。
【請求項８】
水を含ませて使用される乾式シートである請求項１〜７のいずれかに記載の身体清拭シート。
【請求項９】
前記吸水性ポリマー層が、身体清拭シートの幅方向の中心位置を長手方向に沿って略直線状に延びる凹部により２つの部分に分離されている、請求項１〜８のいずれかに記載の身体清拭シート。
【請求項１０】
前記本体部の幅方向の中心を通って前記本体部の長手方向に延びる中心線における前記本体部の長手方向の中心位置から等距離の位置から、前記本体部の長辺までの間を、前記本体部の長手方向に沿って互いに離れるように延びる仮想線上に延びる２つのガイド線をさらに備える請求項１〜９のいずれかに記載の身体清拭シート。
【請求項１１】
前記２つの表面層のうちの一つの角部に取り付けられ、該２つの表面層のうちの一つとの間に前記身体清拭シートを収容するためのポケットを区画形成する小片をさらに備える請求項１〜１０のいずれかに記載の身体清拭シート。
【発明の詳細な説明】
【技術分野】
【０００１】
本発明は、身体清拭シートに関し、特には乾式の身体清拭シートに関する。
【背景技術】
【０００２】
保湿性を有する身体用の清拭シートが知られており、例えば特許文献１，２には、吸水性ポリマー及び水性洗浄剤を含む湿式の身体用清拭シートが開示されている。また、特許文献３には布タオルの間に吸水樹脂を挟んだ蒸しタオルが開示されている。
【先行技術文献】
【特許文献】
【０００３】
【特許文献１】特開２００４−３１３５５７
【特許文献２】特開２００３−２５０７１４
【特許文献３】特開平９−２５２９９４
【発明の概要】
【発明が解決しようとする課題】
【０００４】
しかしながら、特許文献１，２の清拭シート及び特許文献３の蒸しタオルは全長が短く、使用者が自身の身体の背面まで清拭するのに適した構成とはなっていない。
【０００５】
また、特許文献１，２の清拭シートは湿式のシートであるため、使用前に乾いた状態で保管できない。さらには、特許文献１，２の清拭シートには、アレルギー体質の人や皮膚疾患を有する人に適用する場合、身体に接触することが好ましくない場合もある。
【０００６】
他方、特許文献３の蒸しタオルの場合、繰り返し用いると雑菌の繁殖の恐れがあるが、衛生的に用いるには布タオルを吸水樹脂から外して洗濯する必要があり、使用者にとって煩雑である。
【０００７】
本発明の目的は、使用者自身による、身体の背面を含む身体の清拭が容易な身体清拭シートを提供することにある。
【０００８】
本発明の別の目的は、使用者自身による、身体の背面を含む身体の清拭が容易で、かつ使用前に乾いた状態で保管できる身体清拭シートを提供することにある。
【０００９】
本発明のさらに別の目的は、使用者自身による、身体の背面を含む身体の清拭が容易で、かつ使い捨て可能な身体清拭シートを提供することにある。
【課題を解決するための手段】
【００１０】
本発明者らは、上記の目的を達成すべく、２つの表面層とその間に配置された吸水性ポリマー層とを備えた身体清拭シートから延びる延出部を設けることにより、上記の課題を解決できることを見出し、本発明を完成するに至った。
【００１１】
本発明の一態様によれば、２つの表面層と、２つの表面層の間に配置され、吸水性ポリマーを含有する吸水性ポリマー層とを備えた本体部と、本体部から延びる延出部とを備えた身体清拭シートが提供される。
【発明の効果】
【００１２】
本発明によれば、清拭を必要とする者が、自身の身体の前面だけでなく、背中を含めた自身の身体の背面も自分で容易に清拭することができる。身体清拭シートは使用前に乾いた状態で保管でき、使用後には身体清拭シートを使い捨てることができて衛生的である。
【図面の簡単な説明】
【００１３】
【図１】本発明の第１実施形態の身体清拭シートの平面図。
【図２】図１のII−II線における断面図。
【図３】図２の別例の断面図。
【図４】本発明の第２実施形態の身体清拭シートの平面図。
【図５】本発明の第３実施形態の身体清拭シートの平面図。
【図６】本発明の第４実施形態の身体清拭シートの平面図。
【図７】本発明の第５実施形態の身体清拭シートの平面図。
【図８】本発明の第６実施形態の身体清拭シートの平面図。
【図９】本発明の第７実施形態の身体清拭シートの平面図。
【図１０】本発明の第８実施形態の身体清拭シートの部分平面図。
【図１１】本発明の第９実施形態の身体清拭シートの部分平面図。
【図１２】本発明の第１０実施形態の身体清拭シートの部分平面図。
【図１３】本発明の第１１実施形態の身体清拭シートの部分平面図。
【図１４】図１３のXIV−XIV線における断面図。
【図１５】本発明の第１２実施形態の身体清拭シートの部分平面図。
【図１６】図１５の身体清拭シートの使用状態の略図。
【図１７】本発明の第１３実施形態の身体清拭シートの平面図。
【図１８】図１７の身体清拭シートが折り畳まれた状態を示す平面図。
【発明を実施するための形態】
【００１４】
以下、本発明を身体清拭シートに具体化した第１〜第１３実施形態について図１〜１８を参照しながら説明する。
【００１５】
図１及び図２に示すように、本発明の第１実施形態の身体清拭シート１は、不織布から構成された２つの表面層２，３と、２つの表面層２，３の間に配置され、吸水性ポリマーを含有する１つまたは複数の吸水性ポリマー層４とを備えた本体部１４と、本体部１４から延びる、不織布から形成された延出部１５，１６とを備えている。
【００１６】
清拭は主に本体部１４の面で行うことができるが、本体部の表面層２，３のいずれの面でも行うことができるが、延出部１５，１６でも行え、延出部１５，１６の各々の両面で行うことができる。
【００１７】
本実施形態では、本体部１４、延出部１５，１６はいずれも略矩形であり、本体部１４の長手方向における両端から延出部１５，１６がそれぞれ延びている。身体清拭シート１の長さＸは、本体部１４の長さＸ1、延出部１５の長さＸ2、及び延出部１６の長さＸ3を合計したものであり、特に限定されないが、ハンドタオルやバスタオルと同程度の長さであると使用感が良好であり、例えば５０ｃｍ〜２００ｃｍ程度である。
【００１８】
身体清拭シート１の使用時には、延出部１５及び延出部１６の各々を矢印の方向に折り返し、本体部１４の上に折り重ねたコンパクトな状態で使用できる。また、延出部１５及び延出部１６の各々は本体部１４のどちらの面（図面の紙面の表側及び裏側）に折り畳んでもよい。
【００１９】
使用者が自身の背中等、背面を清拭したい場合には、延出部１５及び延出部１６を図示したように本体部１４に対し開いた状態にする。そして、使用者が延出部１５及び延出部１６を両手のそれぞれで把持し、身体清拭シート１を背面に沿って適用すれば、使用者は自分で身体の背面も清拭することができる。このように、本実施形態によれば、清拭を必要とする人が、他者の支援がなくとも清拭を行える点で有利である。
【００２０】
延出部１５の長さＸ2及び延出部１６の長さＸ3は、本体部１４の長さＸ1と同じであってもよいし、本体部１４の長さＸ1よりも長くてもよいし、本体部１４の長さＸ1よりも短くてもよい。延出部１５の長さＸ2及び延出部１６の長さＸ3が本体部１４の長さＸ1よりも長い場合、延出部１５及び延出部１６は可撓性を有するため、延出部１５及び延出部１６の各々を矢印の方向に折り返し、さらに本体部１４の上に納まるように延出部１５及び延出部１６の各々を折り返すことで、本体部１４の面積内にコンパクトに折り畳んで収容することができる。延出部１５の長さＸ2及び延出部１６の長さＸ3が本体部１４の長さＸ1と同一かそれよりも短い場合、延出部１５及び延出部１６を矢印の方向に折り返せば本体部１４の面積内に折り畳んで収容することができる。延出部１５の長さＸ2及び延出部１６の長さＸ3は、本体部１４の長さＸ1の半分よりも長く本体部１４の長さＸ1以下であると、延出部１５及び延出部１６を本体部１の上に折り畳んだときに、使用者からは延出部１５又は延出部１６のいずれかの自由端（つまり身体清拭シート１の長手方向における両端のいずれか）が本体部１４と接続のみが本体部１４の上に視認されるため、延出部１５及び延出部１６を本体部１４に対する開閉が円滑に行えて好ましい。
【００２１】
本実施形態における延出部１５及び延出部１６の配置は、本体部１４の中心Ｏ1を通る本体部１４の長手方向に垂直な軸線Ｌ1に対し線対称であるとともに、本体部１４の中心Ｏ1に対し点対称でもある。
【００２２】
図２に示すように、吸水性ポリマー層４の端部が２つの表面層２，３により封止されている。具体的には、吸水性ポリマー層４の幅が２つの表面層２，３の幅よりも短く、また吸水性ポリマー層４の長さが２つの表面層２，３の長さよりも短くなっており、吸水性ポリマー層４が２つの表面層２，３により囲繞され、吸水性ポリマー層４の周端部が２つの表面層２，３により封止されている。封止は、例えば表面層２，３の２層の超音波融着並びに熱融着等の溶着、接着剤による接着、糸による縫い合わせ、エンボス加工による接合、溶断機による溶断、溶接機による溶接等により行うことができる。吸水性ポリマー層４を２つの表面層２，３により封止することで、吸水性ポリマー層４の身体清拭シート１からの脱落が防止される。また、吸水性ポリマー層４を２つの表面層２，３により画成される空間内に閉じ込めて、吸水性ポリマーが身体清拭シート１の外に漏出するのを防止することができる。
【００２３】
また、本実施形態では、表面層３の長さが表面層２よりも長く、表面層３が表面層２の長手方向における両端部よりもさらに延出しており、これらの延出部が延出部１５及び延出部１６を構成する。このため、表面層３、延出部１５及び延出部１６を一枚の不織布シートから構成できるため、表面層３と、延出部１５及び延出部１６とを別の部材から構成した場合に比べ、製造が容易で、かつ表面層３と延出部１５及び延出部１６との継ぎ目が滑らかであり、表面層３、延出部１５及び延出部１６の面を清拭に使用した場合の使用感も良好である。
【００２４】
本実施形態の身体清拭シート１は、水を含ませて使用される乾式シートである。このため、衛生的に長期間保管することができる。また、乾式で軽量であるため、多数量の運搬及び輸送にも適している。
【００２５】
身体清拭シート１は、使用時に水を含ませることで、水に濡らした身体清拭シート１を身体の清拭に使用することができる。
【００２６】
また、吸水性ポリマー層４の吸水性ポリマーが水を保持するため、身体清拭シート１を、身体清拭シート１を適用した身体部位の冷却又は加温に使用することができる。冷却用の身体清拭シート１は、例えば乾燥した身体清拭シート１を氷水、冷却水、又は水道水等に浸したり、水で濡らした身体清拭シート１を冷蔵庫又は冷蔵庫に保存することにより準備でき、加温用の身体清拭シート１は、例えば乾燥した身体清拭シート１を温水に浸したり、水又は湯で濡らした身体清拭シート１を電子レンジで加熱したり、保温庫又は清拭車に入れることにより準備することができる。
【００２７】
さらには、身体清拭シート１に水を含ませることで、吸水性ポリマー層４の吸水性ポリマーが膨張するため身体清拭シート１の厚みが増大すると共にクッション性も増大するため、不織布のみから構成したシートと比較して、清拭されている人は身体をしっかりと「拭かれている」感覚を得ることができる。
【００２８】
また、本実施形態の身体清拭シート１の表面層２，３と吸水性ポリマー層４に適量の水を保持させると、肌への水残りがなく清拭を行うことができ、清拭されている人が感じる局所的な寒さ又は冷感を回避又は低減することができる。
【００２９】
また、本実施形態の身体清拭シート１は、使い捨ての物品である。このため、衛生的に使用することができる。特に、身体清拭シート１を温めるときは雑菌が繁殖しやすいが、使い捨てであるため毎回交換することができて衛生的である。
【００３０】
さらに、本実施形態の身体清拭シート１は、水性洗浄剤を含有しない。水性洗浄剤は水を媒体とし洗浄成分を含有するものであり、界面活性剤が挙げられる。このため、身体に直接接触するときの水性洗浄剤の影響が排除される。水性洗浄剤については特開２００３−２５０７１４及び特開２００４−３１３５５７にも記載されている。
【００３１】
次に、身体清拭シート１を構成する各層について詳しく説明する。
【００３２】
表面層２，３は不織布から構成されており、不織布を構成する繊維材料は天然繊維であっても合成繊維であってもよい。天然繊維としてはパルプ、羊毛、コットン等の天然繊維が挙げられる。合成繊維としては、レーヨン及びキュプラ等の再生セルロース繊維、ポリビニルアルコール繊維及びポリアクリロニトリル繊維等の親水性合成繊維、及びポリエチレン繊維、ポリプロピレン繊維、ポリエステル繊維、ポリエチレンテレフタレート繊維等の合成繊維並びにこれらを親水化処理したもの等が挙げられる。繊維材料は１種又は２ 種以上を用いることができる。好ましくは、表面層２，３には熱融着に適した繊維材料が使用される。
【００３３】
表面層２，３を構成する繊維シートは、例えば湿式抄造法や、スパンレース法及びエアレイド法等の不織布製造法により製造することができる。表面層２，３を構成する繊維シートの坪量は、身体清拭シート１全体の坪量にもよるが、それぞれ例えば２０〜１００ｇ／ｍ２ であり、３０〜７０ｇ／ｍ２ であることが好ましい。尚、表面層２と表面層３は、同一のものであってもよいし、或いは異なる種類のものであってもよい。
【００３４】
表面層２及び表面層３はそれぞれ一枚に限定されず、例えば１つの身体清拭シート１中に複数の表面層２、複数の表面層３、又はこれらの組み合わせを積層させて使用してもよい。複数の表面層２を使用する場合、異種繊維から形成された２層以上の表面層２を重ね合わせてもよいし、同種の繊維から形成された２層以上の表面層２を重ね合わせてもよい。また、複数の表面層２を重ね合わせる部分は、表面層２の全体に限られず、一部の区画のみであってもよい。複数の表面層３の場合も複数の表面層２を使用する場合と同様である。
【００３５】
吸水性ポリマー層４は、吸水性ポリマー及び繊維材料の少なくとも一方から構成される。  吸水性ポリマー層４は、繊維材料中に吸水性ポリマーを含有させたシート、繊維材料の上に吸水性ポリマーを分散して固めたシート、又は繊維状に加工された吸水性ポリマーを含むシートであり得る。
【００３６】
吸水性ポリマー層４に使用される吸水性ポリマーとしては、液体を吸収及び保持できる任意の吸水性ポリマーを使用することができ、具体例としては、デンプンや架橋カルボキシルメチル化セルロース、アクリル酸又はアクリル酸アルカリ金属塩の重合体又は共重合体等、ポリアクリル酸及びその塩並びにポリアクリル酸塩グラフト重合体を挙げることができる。
【００３７】
吸水性ポリマー層４に使用される繊維材料は天然繊維であっても合成繊維であってもよい。天然繊維としてはパルプ、羊毛、コットン等の天然繊維が挙げられる。合成繊維としては、レーヨン及びキュプラ等の再生セルロース繊維、ポリビニルアルコール繊維及びポリアクリロニトリル繊維等の親水性合成繊維、及びポリエチレン繊維、ポリプロピレン繊維、ポリエステル繊維、ポリエチレンテレフタレート繊維等の合成繊維並びにこれらを親水化処理したもの等が挙げられる。繊維材料は１種又は２ 種以上を用いることができる。
【００３８】
吸水性ポリマー層４を構成する繊維シートは、例えば湿式抄造法や、スパンレース法及びエアレイド法等の不織布製造法により製造することができる。吸水性ポリマー層４を構成する繊維シートの坪量は、身体清拭シート１全体の坪量にもよるが、それぞれ例えば２０〜１００ｇ／ｍ２ であり、３０〜７０ｇ／ｍ２ であることが好ましい。
【００３９】
吸水性ポリマー層４の数は一枚に限定されない。例えば１つの身体清拭シート１中に複数の吸水性ポリマー層４を積層させて使用してもよい。複数の吸水性ポリマー層４を使用する場合、異種繊維から形成された２層以上の表面層２を重ね合わせてもよいし、同種の繊維をから形成された２層以上の吸水性ポリマー層４を重ね合わせてもよい。また、複数の吸水性ポリマー層４を重ね合わせる部分は、吸水性ポリマー層４の全体に限られず、一部の区画のみであってもよい。
【００４０】
好ましくは、吸水性ポリマー層４中の吸水性ポリマーの量は、吸水性ポリマーが膨潤するのに十分な時間水に浸した身体清拭シート１を６０℃に加熱した後、２０〜２５℃、湿度４０〜８０％の環境下で１０分保存した後の身体清拭シート１の温度を３０℃以上に保持し得る量である。より好ましくは、吸水性ポリマー層４中の吸水性ポリマーの量は、吸水性ポリマーが膨潤するのに十分な時間水に浸した身体清拭シート１を６０℃に加熱した後、２０〜２５℃、湿度４０〜８０％の環境下で２０分保存した後の身体清拭シート１の温度を２５℃以上に保持し得る量である。
【００４１】
延出部１５，１６は不織布から構成されており、不織布を構成する繊維材料は天然繊維であっても合成繊維であってもよい。天然繊維としてはパルプ、羊毛、コットン等の天然繊維が挙げられる。合成繊維としては、レーヨン及びキュプラ等の再生セルロース繊維、ポリビニルアルコール繊維及びポリアクリロニトリル繊維等の親水性合成繊維、及びポリエチレン繊維、ポリプロピレン繊維、ポリエステル繊維、ポリエチレンテレフタレート繊維等の合成繊維並びにこれらを親水化処理したもの等が挙げられる。繊維材料は１種又は２ 種以上を用いることができる。
【００４２】
延出部１５，１６を構成する繊維シートは、例えば湿式抄造法や、スパンレース法及びエアレイド法等の不織布製造法により製造することができる。延出部１５，１６を構成する繊維シートの坪量は、身体清拭シート１全体の坪量にもよるが、それぞれ例えば２０〜１００ｇ／ｍ２ であり、３０〜７０ｇ／ｍ２ であることが好ましい。尚、延出部１５，１６は、それぞれ同一のものであってもよいし、或いは異なる種類のものであってもよいし、表面層２及び表面層３と同一のものであってもよいし、或いは異なる種類のものであってもよい。
【００４３】
図３に示すように、身体清拭シート１は、表面層２、表面層３、及び吸水性ポリマー層４に加えて、１または２層以上の追加の層５を備えていてもよい。例えば追加の層５は、表面層３と吸水性ポリマー層４の間に積層された、表面層２と表面層３、並びに表面層３と吸水性ポリマー層４の接着を支援するための熱融着層であってもよい。かかる熱融着層は、例えば熱融着性繊維から構成される。熱融着性繊維としては、例えばポリエチレンやポリプロピレン等のポリオレフイン系樹脂、ポリエチレンテレフタレート等のポリエステル系樹脂、ポリアクリル酸やポリメタクリル酸等のアクリル系樹脂、ポリ塩化ビニル等のビニル系樹脂、ポリアミド系樹脂等、並びにこれらの組み合わせが用いられる。
【００４４】
身体清拭シート１は、香料、保湿剤、抗菌剤、抗炎症剤、虫除け剤、及び清涼パウダーから選択される１つ又は２つ以上の成分をさらに含有してもよい。これらの成分は表面層２、表面層３、吸水性ポリマー層４、延出部１５、延出部１６及びその他の層のいずれに含有されてもよい。
【００４５】
香料は、天然香料でも合成香料でもよく、特に限定されないが、香木、精油、樹脂、ムスク、シベット、カストリウム、アンバーグリス、メントール、レモン、グレープフルーツ、ライム、オレンジ、ベルガモット、バラ、ジャスミン、スズラン、ライラック、バニリン、ヘリオトロピン、クマリン；ベンゾイン、乳香、没薬等が挙げられる。
【００４６】
抗菌剤としては、特に限定されないが、メチルパラベン等が挙げられる。
【００４７】
保湿剤は、軟膏、クリーム、ローション等のいずれの剤形の保湿剤であってもよく、特に限定されないが、軟膏としては、例えば白色ワセリン、亜鉛華軟膏、セラミド、アズノール軟膏、ザーネ軟膏、クリームとしては、例えばウレパール、ケラチナミン、パスタロン（ソフト）、ワイドコール、ヒルドイドクリーム、ローションとしては、例えばヒルドイドローションが挙げられる。
【００４８】
抗炎症剤としては、特に限定されないが、プレドニゾロン、リン酸ベタメタゾンナトリウム、リン酸デキサメタゾンナトリウム等のステロイド系抗炎症薬、並びにアスピリン、メフェナム酸、イブプロフェン、ナプロキセン、チアプロフェン、インドメタシン、ジクロフェナクナトリウム、ロキソプロフェンナトリウム、スリンダク、ピロキシカム等の非ステロイド系抗炎症薬が挙げられる。
【００４９】
虫除け剤としては、特に限定されないが、Ｎ，Ｎ−ジエチル−３−メチルベンズアミド（ＤＥＥＴ）、ｐ−メンタン−３，８−ジオール、ユーカリオイルを初めとするアロマオイル等が挙げられる。
【００５０】
清涼パウダーは、特に限定されないが、水と反応して吸熱反応を起こす冷却物質を含む粉体であり、冷却物質としては糖類、アミノ酸、尿素、無機塩などが挙げられ、粉末としてはタルク、カオリン、雲母、炭酸金属塩、ケイ酸金属塩、クレイ、雲母チタン、オキシ塩化ビスマス、シリカビーズ、プラスチックビーズ、プラスチックパウダー、コーンスターチを初めとする食用粉末等が挙げられる。
【００５１】
ここまで、本発明を第１実施形態を例にとって説明してきたが、本発明はこれに限られず、以下のような種々の変形が可能である。以下の第２〜１２実施形態において、同じ符号は第１実施形態におけるのと同じ部材を示し、説明は省略する。
【００５２】
図４に示す本発明の第２実施形態の身体清拭シート１では、延出部１５，１６は図１に示した第１実施形態と同様に、本体部１４の長手方向における両端からそれぞれ延びているが、延出部１５，１６の幅が本体部１４の幅よりも小さい。このような構成によると、使用者は延出部１５，１６を把持し易く、自身で清拭を行うことができる。なお、第２実施形態における延出部１５及び延出部１６の配置は、本体部１４の中心Ｏ2を通る本体部１４の長手方向に垂直な軸線Ｌ2に対し線対称であるとともに、本体部１４の中心Ｏ2に対し点対称でもある。これは第１実施形態の身体清拭シート１と同様である。
【００５３】
図５に示す本発明の第３実施形態の身体清拭シート１でも、延出部１５，１６は図１に示した第１実施形態と同様に、本体部１４の長手方向における両端からそれぞれ延びている。本体部１４との境界における延出部１５，１６のそれぞれ基端は、本体部１４と同じ幅であるが、身体清拭シート１の両端に向かって本体部１４の幅よりも小さくなり、延出部１５，１６の先端は丸められている。このような構成でも、使用者は延出部１５，１６を把持し易く、自身で清拭を行うことができる。なお、第３実施形態における延出部１５及び延出部１６の配置は、本体部１４の中心Ｏ3を通る本体部１４の長手方向に垂直な軸線Ｌ2に対し線対称であるとともに、本体部１４の中心Ｏ3に対し点対称でもある。これは第１実施形態の身体清拭シート１と同様である。
【００５４】
図６に示す本発明の第４実施形態の身体清拭シート１でも、延出部１５，１６は図１に示した第１実施形態と同様に、本体部１４の長手方向における両端からそれぞれ延びている。本体部１４との境界における延出部１５，１６のそれぞれ基端は、本体部１４と同じ幅であるが、延出部１５，１６の各々は略直角三角形の形をしており、身体清拭シート１の両端に向かって本体部１４の幅よりも小さくなり、延出部１５，１６の先端は丸められている。このような構成でも、使用者は延出部１５，１６を把持し易く、自身で清拭を行うことができる。なお、第３実施形態における延出部１５及び延出部１６の配置は、本体部１４の中心Ｏ４に対し点対称である。
【００５５】
図７に示す本発明の第５実施形態の身体清拭シート１では、延出部１５，１６が本体部１４の長手方向の両端の対角から対角線上にそれぞれ延びている。延出部１５，１６の幅は本体部１４の幅よりも小さく、全長に沿って一様に図示されているが、全長に沿って幅が変化してもよい。このような構成でも、使用者は延出部１５，１６を把持し易く、自身で清拭を行うことができる。なお、第４実施形態における延出部１５及び延出部１６の配置は、本体部１４の中心Ｏ5に対し点対称である。
【００５６】
図８に示す本発明の第５実施形態の身体清拭シート１では、第１実施形態の身体清拭シート１と比較して、本体部１４の長手方向の一方の端部から延出部１５が延びている構成である。このような構成でも、使用者は延出部１５，１６を把持し易く、自身で清拭を行うことができる。
【００５７】
図９に示す本発明の第６実施形態の身体清拭シート１では、第１実施形態の身体清拭シート１と比較して、２つの表面層２，３と吸水性ポリマー層４との３層が複数の小区画２０を構成するよう小区画２０を仕切る略直線状の結合部２１にて結合されている。このため、吸水性ポリマー層４の吸水性ポリマーが各区画２０内に閉じ込められ、吸水性ポリマー層４の吸水性ポリマーの移動が各区画２０内で規制される。よって、吸水性ポリマー層４の吸水性ポリマーの、２つの表面層２，３と吸水性ポリマー層４との間の空間内での移動によるズレや偏在が防止される。
【００５８】
また、２つの表面層２，３と吸水性ポリマー層４との３層が結合部２１にて結合されているため、表面層２，３と吸水性ポリマー層４との互いの位置のズレも防止される。このため、清拭時に表面層２，３と吸水性ポリマー層４がほぼ一体化した感覚で使用者は身体清拭シート１を使用することができる。
【００５９】
身体清拭シート１の面積中の結合部２１が存在する面積の占める割合は、１０〜９０％であることが好ましく、５０％〜９０％であることがより好ましい。
【００６０】
結合部２１を構成する部材は、２つの表面層２，３と吸水性ポリマー層４とを結合するものであれば特に限定されないが、例えば超音波融着並びに熱融着等の溶着、接着剤による接着、糸による縫い合わせ等が挙げられる。好ましくは、結合部２１は溶着により構成される。２つの表面層２，３と吸水性ポリマー層４を糸で結合することで、身体清拭シート１はキルティング又は凹凸のあるタオルのような風合い又は外観を有することができる。
【００６１】
小区画２０の一つの面積は特に限定されないが、例えば１〜９ｃｍ2、好ましくは２〜６ｃｍ2である。このような面積とすることで、身体清拭シート１の表面のキルティング又は凹凸のあるタオルのような風合いを残しつつ、吸水性ポリマー層４中の吸水性ポリマーを身体清拭シート１中により均等に分散させることができる。また、このような面積とすることで、使用者の指先が小区画２０に触れた状態で身体清拭シート１を使用したときに、２つの表面層２，３と吸水性ポリマー層４との間のズレが知覚され難いという効果を有する。
【００６２】
小区画２０の形状は特に限定されないが、本実施形態では略三角形である。身体清拭シート１を繰り返し使用すると、略三角形の中央の清拭面を中心に、各小区画２０の略三角形の３つの角へと吸収性ポリマーが均等に分散され易い。また、小区画２０とその隣の小区画２０は食い違いに配置されることで、吸収性ポリマーが線状に凝集することが防止又は低減される。
【００６３】
図１０に示す本発明の第７実施形態の身体清拭シート１では、小区画２０の形状が略矩形、具体的には菱形の形状である。このような構成でも、第６実施形態と同様、小区画２０を設けたことによる効果が得られる。
【００６４】
図１１に示す本発明の第８実施形態の身体清拭シート１では、小区画２０の形状が互い違いに配置された略矩形の形状である。このような構成でも、第６実施形態と同様、小区画２０を設けたことによる効果が得られる。
【００６５】
図１２に示す本発明の第９実施形態の身体清拭シート１では、小区画２０の形状が略円形である。このような構成でも、第６実施形態と同様、小区画２０を設けたことによる効果が得られる。
【００６６】
図１３に示すように、本発明の第１０実施形態の身体清拭シート１は、本体部１４において身体清拭シート１の幅方向の中心位置を長手方向に沿って略直線状に延びる凹部６を備え、凹部６により吸収性ポリマー層４が２つの部分４ａに分離されている。かかる凹部６を備えることで、矢印の方向に折り返すと、身体清拭シート１を容易に二つに折り畳むことができ、拭いた面を閉じて身体清拭シート１を衛生的に処分することができる。
【００６７】
なお、本実施形態では、図１４に示すように、表面層２及び表面層３の２層が接合した部分が、凹部６の底面を区画形成し、表面層２、表面層３、及び吸収性ポリマー層４の３層の部分よりも厚みが小さくなることで凹部６が画成されているが、凹部６の位置で凹部６の身体清拭シート１の幅方向における両側の部分よりも相対的に厚みが小さくなっていれば、身体清拭シート１の各層の図示された構成に限定されない。
【００６８】
図１５に示すように、本発明の第１１実施形態の身体清拭シート１は、第１０実施形態で示した凹部６に加えて、それぞれ一対の本体部１４にガイド線７ａ並びにガイド線７ｂ、及びガイド線７ｃ並びにガイド線７ｄを備えている。ガイド線７ａ並びにガイド線７ｂは、身体清拭シート１の幅方向の中心を通って身体清拭シート１の長手方向に延びる線Ｘにおける身体清拭シート１の長手方向の中心位置Ｃから等距離の位置から、身体清拭シート１の長辺１ａまでの間を、身体清拭シート１の長手方向に沿って互いに離れるように延びる仮想線Ｙ1，Ｙ2に沿ってそれぞれ延びている。ガイド線７ｃ並びにガイド線７ｄは、身体清拭シート１の幅方向の中心を通って身体清拭シート１の長手方向に延びる線Ｘにおける身体清拭シート１の長手方向の中心位置Ｃから等距離の位置から、身体清拭シート１の長辺１ｂまでの間を、前記身体清拭シートの長手方向に沿って互いに離れるように延びる仮想線Ｙ3，Ｙ4に沿ってそれぞれ延びている。仮想線Ｙ1，Ｙ2及び仮想線Ｙ3，Ｙ4は、エンボス加工等により施された凹部、互いに離間して設けられた複数の孔、糸による縫い目、マーカー、テープ等であってよい。仮想線Ｙ1，Ｙ2及び仮想線Ｙ3，Ｙ4は身体清拭シート１の片面または両面に設けられてもよく、好ましくは両面に設けられる。好ましくは仮想線Ｙ1，Ｙ2及び仮想線Ｙ3，Ｙ4は身体清拭シート１の厚み方向を貫通して設けられた糸による縫い目である。なお「仮想線に沿って」とは、仮想線上である場合と、仮想線と平行な場合とを含む。
【００６９】
この構成によれば、図１５において、（１）の矢印のように身体清拭シート１を線Ｘの位置で二つに折り畳み、（２）の矢印のように折り重なった一端部を内方に折り返し、（３）の矢印のように折り重なった他方の端部を内方に折り返すことにより、図１６に示すように、ミトンの形状に身体清拭シート１が折りたたまれる。ミトンの空間８に親指以外の４指を入れ、ミトンの長手方向の端部の折れ重なった部分を親指をミトンの外側から押さえることにより、使用者、つまり身体清拭シート１の着用者は手の操作を細かい反映しつつ清拭することができる。
【００７０】
図１７に示すように、本発明の第１２実施形態の身体清拭シート１では、本体部１４の表面層２または表面層３の角部に、小片１０が取り付けられている。小片１０を構成する材料は限定されず、例えば表面層３と同じ材料であってもよいし、異なる材料であってもよい。小片１０の形状は限定されないが、例えば三角形であり、その二辺１１，１２が角部を形成する表面層３の二辺と接着されている。接着としては、超音波融着並びに熱融着等の溶着、接着剤による接着、糸による縫い合わせ、エンボス加工による接合、溶断機による溶断、溶接機による溶接等により行うことができる。小片１０は、表面層３との間に身体清拭シート１を収容するためのポケット１３を画成する。
【００７１】
このため、図１７で矢印に示すように、身体清拭シート１をポケット１３に向かって折り返し、図１８に示すように身体清拭シート１をポケット１３に収容することができる。このため、コンパクトに畳んで拭くことができ、また、使用後の身体清拭シート１をコンパクトに折り畳んで処分することができる。
【００７２】
以上、本発明の実施形態について具体的に説明したが、本発明は、上述の実施形態に限定されるものではなく、本発明の技術的思想に基づく各種の変形が可能である。
・延出部１５及び延出部１６は、不織布に限定されず、織布から形成されてもよいし、合成樹脂製の可撓性フィルム等であってもよい。
・延出部１５及び延出部１６は、本体部１４に対し分離可能な構成となっていてもよい。つまり、本体部１４と延出部１５及び延出部１６との間に、分離用の複数の孔を直線状に設けたり、延出部１５及び延出部１６の各々の繊維を、本体部１４と延出部１５及び延出部１６の各々との境界付近で外力により裂けやすい繊維の方向に構成したりしてもよい。このような構成によれば、使用者が本体部１４と延出部１５及び延出部１６の各々のそれぞれを両手で把持し、互いにねじるように引き裂くことで、本体部１４と延出部１５及び延出部１６の各々とを容易に分離することができる。
・第１〜４実施形態において、表面層２、表面層３、及び吸水性ポリマー層４の数は一枚に限定されない。例えば１つの身体清拭シート１中に複数の表面層２、複数の表面層３、複数の吸水性ポリマー層４、又はこれらの組み合わせを積層させて使用してもよい。
・第１〜４実施形態において、吸水性ポリマー層４の長さが２つの表面層２，３の長さよりも短く、吸水性ポリマー層４が２つの表面層２，３により囲繞されていなくても、吸水性ポリマー層４中の吸水性ポリマーが身体清拭シート１の外に漏出するのを防止する程度に、吸水性ポリマー層４の周端部が表面層２、表面層３と一体化されていればよい。一体化は、表面層２，３及び吸水性ポリマー層４の３層の超音波融着並びに熱融着等の溶着、接着剤による接着、糸による縫い合わせ、エンボス加工による接合、溶断機による溶断、溶接機による溶接等により行うことができる。
・第３実施形態において、仮想線Ｙ3，Ｙ4を省略し、仮想線Ｙ1，Ｙ2のみとしてもよい。
【００７３】
また、上述の実施形態の構成、方法、工程、形状、材料及び数値などは、本発明の主旨を逸脱しない限り、互いに組み合わせることが可能である。
・小区画２０の形状は図９〜１２に示した第６〜９実施形態のものに限定されず、楕円形、花や動物等を模した形としたり、他の任意の形状としてもよい。
【００７４】
上述の実施形態において挙げた構成、方法、工程、形状、材料及び数値などはあくまでも例に過ぎず、必要に応じてこれと異なる構成、方法、工程、形状、材料及び数値などを用いてもよい。
【００７５】
また、本発明は以下の構成を採用することもできる。
［１］２つの表面層と、２つの表面層の間に配置され、吸水性ポリマーを含有する吸水性ポリマー層とを備えた本体部と、本体部から延びる延出部とを備えた身体清拭シート。
［２］前記本体部が略矩形であり、前記延出部は本体部から延びる２つの延出部であり、前記２つの延出部の配置は、前記本体部の中心を通り前記本体部の長手方向に垂直な軸線に対し線対称であるか、及び／又は前記本体部の中心に対し点対称であるに本体部から延びる２つの延出部である［１］に記載の身体清拭シート。
［３］前記本体部が略矩形であり、前記延出部が前記本体部の長手方向における両端からそれぞれ延びる２つの延出部である［１］又は［２］に記載の身体清拭シート。
［４］前記延出部が前記本体部の上に折り重ね可能である［１］〜［３］のいずれかに記載の身体清拭シート。
［５］前記延出部が、前記２つの表面層のうちの一方を前記本体部から延出させた延出部である［１］〜［４］のいずれか一項に記載の身体清拭シート。
［６］前記延出部が前記本体部から分離可能である［１］〜［５］のいずれか一項に記載の身体清拭シート。
［７］本体部の前記吸水性ポリマー層と前記表面層を部分的に一体化することにより、前記吸水性ポリマー層が複数の小区画に仕切られている［１］〜［６］のいずれか一項に記載の身体清拭シート。
［８］水を含ませて使用される乾式シートである［１］〜［７］のいずれかに記載の身体清拭シート。
［９］前記吸水性ポリマー層が、身体清拭シートの幅方向の中心位置を長手方向に沿って略直線状に延びる凹部により２つの部分に分離されている、［１］〜［８］のいずれかに記載の身体清拭シート。
［１０］前記本体部の幅方向の中心を通って前記本体部の長手方向に延びる中心線における前記本体部の長手方向の中心位置から等距離の位置から、前記本体部の長辺までの間を、前記本体部の長手方向に沿って互いに離れるように延びる仮想線上に延びる２つのガイド線をさらに備える［１］〜［９］のいずれかに記載の身体清拭シート。
［１１］前記２つの表面層のうちの一つの角部に取り付けられ、該２つの表面層のうちの一つとの間に前記身体清拭シートを収容するためのポケットを区画形成する小片をさらに備える［１］〜［１０］のいずれかに記載の身体清拭シート。
［１２］延長部の長さが本体部の長さの半分よりも長い［１］〜［１１］のいずれかに記載の身体清拭シート。
［１３］延長部の長さが本体部の長さ以下である［１］〜［１２］のいずれかに記載の身体清拭シート。
【産業上の利用可能性】
【００７６】
本発明の身体清拭シートは、家庭、病院等の医療施設、老人福祉施設、介護施設、総合商業施設、スポーツ施設等の様々な場所で、清拭を必要とする人に他者が清拭をしたり、清拭を必要とする人が自ら清拭をするために使用することができる。
【符号の説明】
【００７７】
１・・・身体清拭シート、１ａ，１ｂ…身体清拭シートの長辺、２，３…表面層、４…吸水性ポリマー層、４ａ…吸水性ポリマー層の２つの部分、６…凹部、７ａ，７ｂ，７ｃ，７ｄ…ガイド線、１０…小片、１３…ポケット、１４…本体部、１５，１６…延出部、Ｘ…身体清拭シートの幅方向の中心を通って身体清拭シートの長手方向に延びる線、Ｙ1，Ｙ2，Ｙ3，Ｙ4…仮想線、Ｃ…身体清拭シートの幅方向の中心を通って身体清拭シートの長手方向に延びる線における身体清拭シートの長手方向の中心位置。
【図１】
2018000360.tif 000003
【図２】
2018000360.tif 000004
【図３】
2018000360.tif 000005
【図４】
2018000360.tif 000006
【図５】
2018000360.tif 000007
【図６】
2018000360.tif 000008
【図７】
2018000360.tif 000009
【図８】
2018000360.tif 000010
【図９】
2018000360.tif 000011
【図１０】
2018000360.tif 000012
【図１１】
2018000360.tif 000013
【図１２】
2018000360.tif 000014
【図１３】
2018000360.tif 000015
【図１４】
2018000360.tif 000016
【図１５】
2018000360.tif 000017
【図１６】
2018000360.tif 000018
【図１７】
2018000360.tif 000019
【図１８】
2018000360.tif 000020